(57)【特許請求の範囲】
【請求項１】
車両を製造するラインで使用され、車両の検査項目、検査指示図イメージデータ、検査ポイント情報およびこれらの検査指示および検査ポイントより詳細な検査指導票イメージデータを記憶する検査マスタデータベースを備えたサーバと、このサーバとはＬＡＮを介して通信を行い、複数の検査工程で使用する検査端末、マスタ管理端末等からなる車両の検査管理システムにおいて、
前記検査用携帯端末は、前記検査指示図、検査ポイント、検査指導票の表示釦を含む検査画面を表示する表示手段と、
この検査画面に表示されている検査指導票の表示釦が操作されると、前記サーバに対して画面上で選択中の検査項目に関する対応する検査指導票イメージデータを送信する要求を出力する手段と、
前記サーバから送信される検査指導票イメージデータを前記検査画面に代えて表示する表示手段とを具備し、
前記サーバは前記検査用端末から検査指導票イメージデータを送信する要求が出された場合には当該検査用端末に対して要求された検査指導票イメージデータを送信する手段とを具備したことを特徴とする車両の検査管理システム。
【発明の詳細な説明】
【技術分野】
【０００１】
本発明は、車両の製造ラインにおける車両の検査管理システムに関する。
【背景技術】
【０００２】
従来、自動車を製造するラインでは、車両に対して複数の検査工程を設定し、それぞれの検査工程において、検査データをホストコンピュータからパソコンにダウンロードし、オペレータはこの検査データに基づいて検査を行い、その結果をパソコンに入力してホストコンピュータに送信するもの、また、検査の最初に各工程で検査に必要に基準データをバーコードで印刷した検査指示票を発行して車両に添付し、第1の工程で該当するバーコードを読み取って基準データを得、この基準データに基づいて検査を行って、その結果をバーコードラベルとして発行し、このバーコードラベルを検査指示票に貼って該車両とともに次の工程へ移動させるものが知られている（例えば、特許文献１参照）。
【特許文献１】特開２００２−１２１７７号公報
【発明の開示】
【発明が解決しようとする課題】
【０００３】
熟練の検査員であれば、この検査指示票を見て直ちにどの部位に対してどのような検査を行ったらよいか判断できる。しかし、新人の検査員は検査指示票を見て直ちにどの部位に対してどのような検査を行ったらよいか判断できない場合がある。このような場合には、検査指示票の内容を詳細に記述した検査指導票を探し出して参照する必要があった。検査の現場では検査指導票は置いてないので、検査作業中にはこの検査指導票は参照できないし、検査指導票を別の部署に行って探していたのでは検査時間がかかってしまうという問題があった。
【０００４】
また、検査部位のイメージデータや注意事項を知らないと一層検査時間がかかってしまうという問題があった。
【０００５】
本発明は、上記の点に鑑みてなされたもので、その目的は、検査に熟知していない検査員であっても迅速に検査を行うことができる車両の検査管理システムを提供することにある。
【課題を解決するための手段】
【０００６】
請求項１記載の発明は、車両を製造するラインで使用され、車両の検査項目、検査指示図イメージデータ、検査ポイント情報およびこれらの検査指示および検査ポイントより詳細な検査指導票イメージデータを記憶する検査マスタデータベースを備えたサーバと、このサーバとはＬＡＮを介して通信を行い、複数の検査工程で使用する検査端末、マスタ管理端末等からなる車両の検査管理システムにおいて、
前記検査用携帯端末は、前記検査指示図、検査ポイント、検査指導票の表示釦を含む検査画面を表示する表示手段と、
この検査画面に表示されている検査指導票の表示釦が操作されると、前記サーバに対して画面上で選択中の検査項目に関する対応する検査指導票イメージデータを送信する要求を出力する手段と、
前記サーバから送信される検査指導票イメージデータを前記検査画面に代えて表示する表示手段とを具備し、
前記サーバは前記検査用端末から検査指導票イメージデータを送信する要求が出された場合には当該検査用端末に対して要求された検査指導票イメージデータを送信する手段とを具備したことを特徴とする。
【発明の効果】
【０００８】
請求項１記載の発明によれば、検査要領に熟知していない検査員であっても、検査指導票を見て適確に検査を行うことができる。  
請求項２記載の発明によれば、検査画面に検査指示図及び検査ポイントが表示されるので、検査員は検査内容を確実に視認することができる。
【発明を実施するための最良の形態】
【０００９】
以下図面を参照して本発明の一実施の形態について説明する。図１は車両の検査管理システムの構成を示す図である。図において、１は車両の製造ラインに配置されたＬＡＮである。このＬＡＮ１には、サーバ２、マスタ管理端末３、複数のアクセスポイント４が接続されている。そして、各アクセスポイント４は近傍にモバイル端末である検査用端末としての検査用携帯端末５と無線通信するようになっている。
【００１０】
検査用携帯端末５は、検査するオペレータ６が所持し、製造ラインにおいて所定の工程が終了する毎にその工程で車７に組み込まれた複数の検査対象部位や部品の検査をこの検査用携帯端末５に操作して行うようになっている。
【００１１】
前記サーバ２は、検査マスタデータベース１１や検査結果データベース１２を設けている。この検査マスタデータベース１１には、検査ジョブ、検査指導票のイメージデータを記憶する検査指導票イメージファイルが記憶される。さらに、この検査マスタデータベース１１には、検査指示図をイメージータとして記憶する検査指示図イメージファイル及び検査する際の注意事項をテキストデータとして記憶する検査ポイント情報が記憶されている。ここで、検査ジョブとは検査項目と検査部位の紐付けを意味し、検査項目は検査対象と検査内容の紐付けを意味する。
【００１２】
また、サーバ２には、各種業務アプリケーション１３が記憶されている。例えば、図５のフローチャートに示す処理を行なうプログラムが記憶されている。
【００１３】
前記検査結果データベース１２には、実際に行われた検査結果が記憶される。
【００１４】
前記サーバ２は、図２に示すように、制御部本体を構成するＣＰＵ(中央処理ユニット)２ １、このＣＰＵ２１が各部を制御するプログラムデータを格納したＲＯＭ（リード・オンリ・メモリ）２２、前記ＣＰＵ２１やデータ送信時やデータ受信時、データ処理時等において一時的に使用するメモリを設けたＲＡＭ（ランダム・アクセス・メモリ）２３、前記検査マスタデータベース１１や前記検査結果データベース１２を設けるとともに業務アプリケーションプログラムを格納したハードディスク装置２４、ＬＡＮ１を介して前記マスタ管理端末３とデータのやり取りを行うとともにＬＡＮ１及びアクセスポイント４を介して前記検査用携帯端末５とデータのやり取りを行う通信部２５、キー入力やインジケータの表示等を行うための操作部２６を設け、これらバスライン２７によって互いに電気的に接続している。
【００１５】
前記マスタ管理端末３は製造ラインの管理者が操作する端末で、図３に示すように、制御部本体を構成するＣＰＵ３１、このＣＰＵ３１が各部を制御するプログラムデータを格納したＲＯＭ３２、前記ＣＰＵ３１がデータ送信時やデータ受信時、データ処理時等において一時的に使用するメモリや小容量のデータを格納するメモリ等を設けたＲＡＭ３３、ＬＡＮ１を介して前記サーバ２とデータのやり取りを行う通信部３４、作業の実行の為の各種キーを設けたキーボード３５、データ表示等を行う液晶等のディスプレイ３６、必要なデータを印字出力する為のプリンタ３７、大容量のデータを格納する為のハードディスク装置３８を設け、これらをバスライン３９によって互いに電気的に接続している。
【００１６】
前記携帯端末５は、図４に示すように、制御部本体を構成するＣＰＵ５１、このＣＰＵ５１が各部を制御する図６のフローチャートに示すプログラムデータを格納したＲＯＭ５２、前記ＣＰＵ５１がデータ送信時やデータ受信時、データ処理時等において一時的に使用するメモリや小容量のデータを格納するメモリ等を設けたＲＡＭ５３、データ表示や各種情報の入力画面表示等を行う液晶ディスプレイ５４、この液晶ディスプレイ５４の上に載置され、この液晶ディスプレイ５４に表示された入力画面における情報入力を行うためのタッチパネル５５、前記アクセスポイント４と無線通信によってデータのやり取りを行う無線通信部５６を設け、これらをバスライン５７によって互いに電気的に接続している。
【００１７】
次に、上記のように構成された本発明の一実施の形態の動作について図６及び図７のフローチャートを参照してながら説明する。まず、管理者は、マスタ管理端末３より、製造される自動車個々に対して、各工程においてどの部位や部品に対してどのような検査を行うかの検査情報を入力する。この結果、検査情報は検査ジョブとしてサーバ２の検査マスタデータベース１１に送信される。
【００１８】
次に、検査用携帯端末５は、サーバ２から送信された検査ジョブに基づいて図７に示すような検査画面６１を液晶ディスプレイ５４に表示する（ステップＳ１０）。この検査画面には検査項目毎に検査対象部位、検査内容方法、検査基準測定値、「ＮＧ」、「ＯＫ」ボタン等が表示されている。
【００１９】
さらに、この検査画面６１の左隅欄には、検査指示図６２が表示される。この検査指示図６２はサーバ２の検査マスタデータベース１１に記憶されていたものである。つまり、サーバ２は図５のフローチャートに示すように、検査ジョブを検査用携帯端末５に送信する際に、検査マスタデータベース１１に記憶されている検査画面６１上で選択中の検査項目に関する検査指示図イメージデータ及び検査ポイント情報も送信している（ステップＳ１）。
【００２０】
また、検査画面６１の下側中央部の検査注意事項表示欄６３が設けられている。この
検査注意事項表示欄６３には前記サーバ２から送信された検査ポイント情報をテキストデータで表示している。この実施の形態では、検査項目は検査指示図６２の「→」で示した部位であり、この際の注意事項として「凹み確認」であることが一目瞭然に判断することができる。
【００２１】
このように、検査画面６１上で選択中の検査項目に関する検査指示図及び検査ポイント情報を検査画面６１に表示するようにしたので、オペレータは即座に検査箇所及び注意事項を把握することができ、検査を迅速に行うことができる。
【００２２】
また、検査画面６１の中央部下側には検査指導票の表示釦６４が表示されている。
【００２３】
検査画面６１に表示された検査指示図及び検査ポイント情報よりもっと詳細な検査指導票を見たい場合には、この検査指導票釦の表示６４を押下げる。
【００２４】
検査用携帯端末５は検査指導票の表示釦６４が押下したかを判定している（ステップＳ１１）。このステップＳ１１で「ＹＥＳ」と判定された場合には、検査用携帯端末５はサーバ２に対して検査画面６１上で選択中の検査項目に関する検査指導票イメージデータを送信する要求を出力する（ステップＳ１２）。
【００２５】
これに呼応して、サーバ２は図５のフローチャートのステップＳ２において、検査用携帯端末５から検査指導票イメージデータを送信する要求が有るかと判定している。
【００２６】
携帯端末５からの該要求があれば、ステップＳ２において「ＹＥＳ」と判定される。その結果、サーバ２は検査用携帯端末５に対して検査画面６１上で選択中の検査項目に関する検査指導票イメージデータを送信する（ステップＳ３）。
【００２７】
これに呼応して、図６のフローチャートのステップＳ１３に示すように、検査用携帯端末５は検査指導票イメージデータを受信したかを判定している（ステップＳ１３）。
【００２８】
このステップＳ１３において「ＹＥＳ」と判定された場合には、検査画面６１上で選択中の検査項目に関する検査指導票を図８に示す検査指導票参照画面７１のように表示する（ステップＳ１４）。
【００２９】
この検査指導票参照画面７１には戻るボタン７２が表示されており、この戻るボタン７２を操作することにより、図７に示すような検査画面６１に戻すことができる。
【００３０】
また、検査指導票参照画面７１に表示される検査指導票は一画面では収まらないので、画面７１の右側にスクロールボタン７３，７４が設けられている。このスクロールボタン７３，７４をクリックすることにより、検査指導票参照画面７１に表示される検査指導票を上下に移動させることができる。
【００３１】
このように、検査指導票の表示釦６４が押されると検査画面６１上で選択中の検査項目に関する検査指導票を検査用携帯端末５に表示されることができるので、オベレータが慣れていない検査をする場合に素早く検査指導票を読むことができ、適切な検査を行うことができる。従って、検査指導票を探す時間を短縮することだけでなく、検査に要する時間を短縮させることができる。
【００３２】
上記実施の形態では、検査マスタデータベース１１に検査指導票のイメージデータを記憶する検査指導票イメージファイルを記憶させておくようにし、検査用携帯端末５の「検査指導票」釦６４が押されると、検査指導票のイメージデータを検査用携帯端末５に送信するようにしたが、これに限るものではない。もし、検査用携帯端末５に搭載されるメモリが大容量で小型化なものであれば、検査用携帯端末５に検査指導票のイメージデータを記憶させておくようにしても良い。
【００３３】
さらに、この実施の形態では、検査用端末として検査用携帯端末を使用し、サーバ２とアクセスポイント４を介して無線通信方式で通信を行うものについて述べたが必ずしもこれに限るものではなく、サーバ２とＬＡＮによって設定された設置式の検査用端末を使用しても良い。
【図面の簡単な説明】
【００３４】
【図１】本発明の一実施の形態に係わる車両の検査管理システムの構成を示す図。
【図２】同実施の形態に係わるサーバのハード構成を示すブロック図。
【図３】同実施の形態に係わるマスタ管理端末のハード構成を示すブロック図。
【図４】同実施の形態に係わる検査用携帯端末のハード構成を示す図。
【図５】同実施の形態に係わるサーバの処理を説明するためのフローチャート。
【図６】同実施の形態に係わる検査用携帯端末の処理を説明するためのフローチャート。
【図７】同実施の形態に係わる検査画面を示す図。
【図８】同実施の形態に係わる検査指導票表示画面を示す図。
【符号の説明】
【００３５】
１…ＬＡＮ、２…サーバ、３…マスタ管理端末、４…アクセスポイント、
５…検査用携帯端末、１１…検査マスタデータベース。
【図１】
0004629357.tif 000002
【図２】
0004629357.tif 000003
【図３】
0004629357.tif 000004
【図４】
0004629357.tif 000005
【図５】
0004629357.tif 000006
【図６】
0004629357.tif 000007
【図７】
0004629357.tif 000008
【図８】
0004629357.tif 000009